(57)【要約】      （修正有）【課題】歯の表面磨きと歯間の清掃とを効率よく行うことができる歯ブラシを提供する。【解決手段】合成樹脂製ブラシ本体１の植毛台１ａに、歯間の凹みに接触できる程度の束径ｎのブラシ毛Ｂを、幅方向である横列ａ状及びこれに直交する長手方向である縦列ｂ状に配列されるように植毛し、横列ａに配列されるブラシ毛Ｂは２束グループＧａと１束グループＧｂとに分かれ、その両グループＧａ，Ｇｂ間に２ピッチｐの隙間ｍが形成され、その２束グループＧａと１束グループＧｂとが縦列ｂ方向に沿って交互に配列されるように植毛され、横列に配列されるブラシ毛Ｂは、縦列ｂ方向に２ピッチｐ分の空隙Ｅを開けて植毛されている。【選択図】図２
0003152717.tif 000002
【実用新案登録請求の範囲】
【請求項１】
合成樹脂製ブラシ本体の植毛台に、歯間の凹みに接触できる程度の束径のブラシ毛を、幅方向である横列状及びこれに直交する長手方向である縦列状に配列されるように植毛し、その横列及びまたは縦列に配列したブラシ毛間の間隔を、少なくともブラシ毛の束径に相当する幅の隙間（この隙間幅を、以下「１ピッチ」という）の１．５〜２．５倍に設定してなる歯ブラシ。
【請求項２】
横列に配列されるブラシ毛は、２束のブラシ毛が横列に１ピッチ乃至数ピッチで互いに隣り合って植毛される２束グループと、該２束グループに対して、そのピッチよりも少なくとも倍のピッチを開けて１束のブラシ毛が２束グループに隣り合って植毛される１束グループとからなる請求項１に記載の歯ブラシ。
【請求項３】
横列に配列されるブラシ毛は、縦列方向に少なくとも１ピッチの倍の空隙を開けて縦列に植毛されてなる請求項１または２に記載の歯ブラシ。
【請求項４】
横列に配列されるブラシ毛は、縦列方向に２束グループと１束グループとが交互に配列されるようにして縦列に植毛されてなる請求項１〜３のいずれかに記載の歯ブラシ。
【考案の詳細な説明】
【技術分野】
【０００１】
本考案は、歯ブラシに関し、特に、歯の表面磨きと歯間の清掃とを効率よく行うことができるようにしたものである。
【背景技術】
【０００２】
従来、歯ブラシの一例として特許文献１に記載したものがあり、これは、図７（ａ）の側面図に示すように、合成樹脂製ブラシ本体１の植毛台１ａに植毛したブラシ毛Ｂの毛先を連続Ｕ字カットしたものであって、Ｕ字カットの底のブラシ面２で歯Ｔの表面Ｔａを磨き、Ｕ字カット間のブラシ突出部３で歯間Ｔｂの清掃を行う。
【０００３】
また、従来、歯間ブラシの一例として特許文献２に記載したものがあり、これは、図７（ｂ）に示すように、ハンドル５から突出する捻じりワイヤ６にブラシ毛Ｂの中央部を挟持させたものであって、そのブラシ毛Ｂを歯間Ｔｂに差し込んで清掃を行う。
【０００４】
更に、従来、歯間ブラシの他の例として特許文献３に記載したものがあり、これは、図７（ｃ）に示すように、把持部８に一体突設した二股部８ａに細糸９を張設したものであって、その細糸９を歯間Ｔｂに差し込んで清掃を行う。
【先行技術文献】
【特許文献】
【０００５】
【特許文献１】実用新案登録第３１４３９６３号公報
【特許文献２】特開２００９−５７４０号公報
【特許文献３】実用新案登録第３１４２０４１号公報
【考案の概要】
【考案が解決しようとする課題】
【０００６】
特許文献１によれば、ブラシ毛Ｂで歯Ｔの表面Ｔａを磨いたり歯間Ｔｂの清掃を行うようになっているが、歯間Ｔｂの清掃を行うときに、Ｕ字カットの底のブラシ面２が歯Ｔの表面Ｔａに当たるため、ブラシ突出部３で歯間Ｔｂの奥まで充分に清掃することができない。
【０００７】
特許文献２によれば、歯間Ｔｂの幅が広い場合に、その歯間Ｔｂにブラシ毛Ｂを容易に差し込んで効率良く清掃することができるが、その歯間Ｔｂの幅が狭い場合には、ブラシ毛Ｂを歯間Ｔｂに差し込むことが難しく、清掃できない。
【０００８】
特許文献３によれば、歯間Ｔｂの幅が狭い場合でも、その歯間Ｔｂに細糸９を差し込んで効率良く清掃することができるが、その歯間Ｔｂの幅が広い場合には、細糸９で歯間Ｔｂの全体を効率良く清掃するのが難しい。
【０００９】
また、特許文献１に記載の歯ブラシと、特許文献２及び３の歯間ブラシとを使い分ける場合には、その３種類のブラシを持ち替えて使うのに手間がかかって面倒であり、使い勝手が悪く、経済的にも高くつく。
【００１０】
本考案は、上記従来の欠点に鑑み、歯の表面磨きと歯間の幅に合わせた清掃とを効率良く行うことができるようにした歯ブラシを提供することを目的としている。
【課題を解決するための手段】
【００１１】
上記目的を達成するため、請求項１に記載の考案は、合成樹脂製ブラシ本体１の植毛台１ａに、歯間Ｔｂの凹みに接触できる程度の束径ｎのブラシ毛Ｂを、幅方向である横列ａ状及びこれに直交する長手方向である縦列ｂ状に配列されるように植毛し、その横列ａ及びまたは縦列ｂに配列したブラシ毛Ｂ間の間隔ｍ，ｋを、少なくともブラシ毛の束径ｎに相当する幅の隙間（この隙間幅を、以下「１ピッチ」という）の１．５〜２．５倍に設定してなる構成を採用するものである。
【００１２】
請求項２に記載の考案は、請求項１に記載の考案において、横列ａに配列されるブラシ毛Ｂは、２束のブラシ毛Ｂが横列ａに１ピッチｐ乃至数ピッチｐで互いに隣り合って植毛される２束グループＧａと、該２束グループＧａに対して、そのピッチｐよりも少なくとも倍のピッチｍを開けて１束のブラシ毛Ｂが２束グループＧａに隣り合って植毛される１束グループＧｂとからなる構成を採用するものである。
【００１３】
請求項３に記載の考案は、請求項１または２に記載の考案において、横列ａに配列されるブラシ毛Ｂは、縦列ｂ方向に少なくとも１ピッチｐの倍の空隙Ｅを開けて縦列ｂに植毛されてなる構成を採用するものである。
【００１４】
請求項４に記載の考案は、請求項１〜３のいずれかに記載の考案において、横列ａに配列されるブラシ毛Ｂは、縦列ｂ方向に２束グループＧａと１束グループＧｂとが交互に配列されるようにして縦列ｂに植毛されてなる構成を採用するものである。
【考案の効果】
【００１５】
請求項１に記載の考案によれば、歯間Ｔｂの凹みに接触できる程度の束径ｎのブラシ毛Ｂを横列ａ状及び縦列ｂ状に植毛し、これらのブラシ毛Ｂ間の間隔を１ピッチｐの１．５〜２．５倍に設定して、そのブラシ毛Ｂ間に空隙Ｅや隙間ｍを設けているので、その空隙Ｅや隙間ｍを利用して歯間Ｔｂの奥まで綺麗に清掃することができる。
【００１６】
要するに、１本の歯ブラシで歯Ｔの表面Ｔａの磨きと歯間Ｔｂの幅に合わせた清掃とを効率良く行うことができる。
【００１７】
請求項２に記載の考案によれば、図３及び図４に示すように、個別の歯間Ｔｂを清掃する場合に、広幅の歯間Ｔｂに対しては２束グループＧａのブラシ毛Ｂを通し、狭幅の歯間Ｔｂに対しては１束グループＧｂのブラシ毛Ｂを通すことにより、個別の歯間Ｔｂを効率良く確実に清掃することができる。
【００１８】
請求項３に記載の考案によれば、図５に示すように、複数の歯間Ｔｂを同時に清掃する場合に、縦列ｂ方向の各空隙Ｅが歯Ｔの表面Ｔａに対向している状態で、各ブラシ毛Ｂの毛先を各歯間Ｔｂに差し込むようになっており、その各ブラシ毛Ｂの毛先が従来のように歯Ｔの表面Ｔａにほとんど当たらないから、その各ブラシ毛Ｂの毛先を各歯間Ｔｂの奥まで確実容易に差し込んで、複数の歯間Ｔｂを同時に綺麗に清掃することができる。
【００１９】
請求項４に記載の考案によれば、図２及び図６に示すように、２束グループＧａのブラシ毛Ｂと１束グループＧｂのブラシ毛Ｂとが交互に配列されて、横列ａ方向の隙間ｍが２束グループＧａのブラシ毛Ｂで囲まれて、植毛台１ａ上にブラシ毛Ｂが密植されているのと同じ状態になっているから、歯Ｔの歯間Ｔｂの凹みのみならず、歯Ｔの表面Ｔａの全体を綺麗に磨くことができる。
【図面の簡単な説明】
【００２０】
【図１】本考案の実施の一形態である歯ブラシの斜視図である。
【図２】（ａ）は同要部の拡大平面図、（ｂ）は同要部の拡大側面図、（ｃ）は同要部の端面図である。
【図３】（ａ）は同広幅の歯間の清掃状態を説明する平面図、（ｂ）は同縦断面図である。
【図４】（ａ）は同狭幅の歯間の清掃状態を説明する水平断面図、（ｂ）は同要部の拡大水平断面図である。
【図５】（ａ）は同複数の歯間の同時清掃状態を説明する水平断面図、（ｂ）は同要部の拡大水平断面図である。
【図６】同歯の表面を磨いている状態を説明する平面図である。
【図７】（ａ）は従来の歯ブラシの一例を示す側面図、（ｂ）は従来の歯間ブラシの一例を示す正面図、（ｃ）は従来の歯間ブラシの他の例を示す正面図である。
【考案を実施するための形態】
【００２１】
図１及び図２は本考案の実施の一形態である歯ブラシを示すものであって、合成樹脂製ブラシ本体１の植毛台１ａに、歯間Ｔｂの凹みに接触できる程度の束径ｎ（図２の（ｃ
）、図５の（ａ）参照）、具体的には、束径ｎが１〜３ｍｍ程度のブラシ毛Ｂを、幅方向である横列ａ状及びこれに直交する長手方向である縦列ｂ状に配列されるように植毛し、縦列ｂに配列したブラシ毛Ｂ毛間の間隔ｋを、少なくともブラシ毛Ｂの束径ｎに相当する幅の隙間ｐ（この隙間幅を、以下「１ピッチ」という）の１．５〜２．５倍（この実施の形態では２倍）に設定することにより、縦列ｂ方向においてブラシ毛Ｂ間に空隙Ｅが形成されている。なお、ブラシ毛Ｂの束径ｎが１ｍｍ未満では、ブラシ毛Ｂの歯Ｔに対する接触度が弱く清掃作用を発揮し難い。また、束径ｎが３ｍｍを超えるときには、ブラシ毛Ｂが歯間Ｔｂの凹みに接触し難いことが実験の結果、判明している。
【００２２】
図２（ａ）に示すように、横列ａに配列されるブラシ毛Ｂは、１ピッチｐの間隔をおいて隣接する２束のブラシ毛Ｂからなる２束グループＧａと、１束のブラシ毛Ｂからなる１束グループＧｂとに分けられ、その両グループＧａ，Ｇｂ間に２ピッチｐ分の隙間ｍが形成され、縦列ｂ方向に沿って２束グループＧａと１束グループＧｂとが交互に配列されるようにして縦列ｂに植毛されている。
【００２３】
前記１ピッチｐは、少なくともブラシ毛Ｂの束径ｎに相当する幅の隙間とされており、この実施の形態では、ブラシ毛Ｂの束径ｎ、即ち１ピッチｐが２ｍｍで、各ブラシ毛Ｂの横列ａの間隔ｍは、その倍の４ｍｍである。
【００２４】
縦列ｂに配列したブラシ毛Ｂ間の間隔ｋは、１ピッチｐの１．５〜２．５倍に設定されている。ここで、間隔ｋが１ピッチｐの１．５倍未満の場合には、空隙Ｅが狭いため、複数の歯間Ｔｂの清掃を同時に行う場合に（図５参照）、ブラシ毛Ｂが歯Ｔの表面Ｔａに当たって、そのブラシ毛Ｂを歯間Ｔｂに奥まで充分に差し込むことが難しい。間隔ｋが１ピッチｐの２．５倍を超える場合には、空隙Ｅが広くなり過ぎて、ブラシ毛Ｂを複数の歯間Ｔｂに同時に差し込み難くなる。この実施の形態では、間隔ｋを１ピッチｐの２倍に設定している。具体例を示すと、間隔ｋが６ｍｍである。
【００２５】
使用手順を説明すると、図３（ａ）に示すように、広幅の歯間Ｔｂを個別に清掃する場合には、ブラシ本体１を把持して植毛台１ａを口内に入れ、適当な空隙Ｅを歯Ｔに合わせ、２束グループＧａを広幅の歯間Ｔｂに対向させ、ブラシ本体１を前後方向ｃ，ｄに押し引きすることにより、図３（ｂ）に示すように、２束グループＧａのブラシ毛Ｂを広幅の歯間Ｔｂに挿通させる。なお、歯磨きの際には、口内に水を含んだ状態で行うことが好ましい。
【００２６】
図４（ａ）に示すように、狭幅の歯間Ｔｂを個別に清掃する場合には、上記と同じ手順で１束グループＧｂのブラシ毛Ｂを狭幅の歯間Ｔｂに対向させ、ブラシ本体１を前後方向ｃ，ｄに押し引きすることにより、図４（ｂ）に示すように、１束グループＧｂのブラシ毛Ｂを狭幅の歯間Ｔｂに挿通させる。
【００２７】
上記構成によれば、個別の歯間Ｔｂを清掃する場合に、広幅の歯間Ｔｂに対しては２束グループＧａのブラシ毛Ｂを通し、狭幅の歯間Ｔｂに対しては１束グループＧｂのブラシ毛Ｂを通すことにより、個別の歯間Ｔｂを効率良く確実に清掃することができる。
【００２８】
図５（ａ）に示すように、複数の歯間Ｔｂを同時に清掃する場合には、縦列ｂ方向の各空隙Ｅが歯Ｔの表面Ｔａに対向している状態で、各ブラシ毛Ｂの毛先を各歯間Ｔｂに対向させ、ブラシ本体１を矢印ｅ方向に押すことにより、その各ブラシ毛Ｂの毛先を各歯間Ｔｂの奥まで差し込み、図５（ｂ）に示すように、ブラシ本体１を歯間Ｔｂに沿って上下方向ｆ，ｇに往復移動させる。
【００２９】
上記構成によれば、複数の歯間Ｔｂを同時に清掃する場合に、縦列ｂ方向の各空隙Ｅが歯Ｔの表面Ｔａに対向している状態で、各ブラシ毛Ｂの毛先を各歯間Ｔｂに差し込むようになっており、その各ブラシ毛Ｂの毛先が従来のように歯Ｔの表面Ｔａにほとんど当たらないから、その各ブラシ毛Ｂの毛先を各歯間Ｔｂの奥まで確実容易に差し込んで、複数の歯間Ｔｂを同時に綺麗に清掃することができる。
【００３０】
図６に示すように、歯Ｔの表面Ｔａを磨く場合には、ブラシ毛Ｂの毛先を歯Ｔの表面Ｔａに当接させ、ブラシ本体１を左右方向ｈ，ｉに往復移動させる。
【００３１】
上記構成によれば、２束グループＧａのブラシ毛Ｂと１束グループＧｂのブラシ毛Ｂとが交互に配列されて、図２（ｃ）に示すように、横列ａ方向の隙間ｍが２束グループＧａのブラシ毛Ｂで囲まれて、植毛台１ａ上にブラシ毛Ｂが密植されているのと同じ状態になっているから、歯Ｔの表面Ｔａの全体を綺麗に磨くことができる。
【符号の説明】
【００３２】
１        ブラシ本体
１ａ      ブラシ本体の植毛台
Ｂ        ブラシ毛
Ｔ        歯
Ｔａ      歯の表面
Ｔｂ      歯間
Ｅ        縦列方向の空隙
Ｇａ      ２束グループ
Ｂｂ      １束グループ
ａ        横列
ｂ        縦列
ｐ        ピッチ
ｍ        横列方向の隙間
ｎ        束径
ｋ        縦列方向のブラシ毛間の間隔
【図１】
0003152717.tif 000003
【図２】
0003152717.tif 000004
【図３】
0003152717.tif 000005
【図４】
0003152717.tif 000006
【図５】
0003152717.tif 000007
【図６】
0003152717.tif 000008
【図７】
0003152717.tif 000009